(57)【特許請求の範囲】
【請求項１】
排水の流路に配置される捕集部を備えてなるヘアキャッチャーであって、
前記捕集部の上面は、複数の段部と、各段部の間に配置された面部とが交互に形成されてなる階段部を備え、
前記階段部は、前記段部を挟んで隣り合う２つの前記面部のうち高い側から低い側に向けて排水が流れるように構成され
前記捕集部のうち前記階段部の存在する部位には、通水用の孔部が多数貫通形成され、
前記捕集部は、その中心軸を囲む環状をなし、
前記階段部は、前記中心軸の周囲に設けられ、螺旋階段状をなすことを特徴とするヘアキャッチャー。
【請求項２】
前記捕集部の上面は、前記面部のうち最も下方に位置する最下面部から、前記面部のうち最も上方に位置する最上面部にかけて連続する連続面を備えることを特徴とする請求項１に記載のヘアキャッチャー。
【請求項３】
前記連続面は、前記孔部が形成されていない滑面状をなすことを特徴とする請求項２に記載のヘアキャッチャー。
【請求項４】
前記最上面部は、前記孔部が形成されていない滑面状をなすことを特徴とする請求項２又は３に記載のヘアキャッチャー。
【請求項５】
前記最上面部は、当該最上面部と前記段部を挟んで隣り合う前記面部側に向けて排水を案内する突起部を備えることを特徴とする請求項２乃至４のいずれか１項に記載のヘアキャッチャー。
【請求項６】
前記段部は、上方から見たとき、前記捕集部の中心軸側から外側に向けて延びつつ、前記階段部における排水の流れ方向下流側へと徐々に湾曲する形状をなすことを特徴とする請求項１乃至５のいずれか１項に記載のヘアキャッチャー。
【請求項７】
排水の流路に配置される捕集部を備えてなるヘアキャッチャーであって、
前記捕集部の上面は、複数の段部と、各段部の間に配置された面部とが交互に形成されてなる階段部を備え、
前記階段部は、前記段部を挟んで隣り合う２つの前記面部のうち高い側から低い側に向けて排水が流れるように構成され
前記捕集部のうち前記階段部の存在する部位には、通水用の孔部が多数貫通形成され、
前記階段部は、その最下部に、少なくとも一部が前記段部からなる壁部によって四方を囲まれたポケット部を備えることを特徴とするヘアキャッチャー。
【請求項８】
排水の流路に配置される捕集部を備えてなるヘアキャッチャーであって、
前記捕集部の上面は、複数の段部と、各段部の間に配置された面部とが交互に形成されてなる階段部を備え、
前記階段部は、前記段部を挟んで隣り合う２つの前記面部のうち高い側から低い側に向けて排水が流れるように構成され
前記捕集部のうち前記階段部の存在する部位には、通水用の孔部が多数貫通形成され、
前記段部は、自身に隣接する２つの前記面部のうち高い側から低い側に向けて徐々に低くなる傾斜面状又は湾曲面状をなすことを特徴とするヘアキャッチャー。
【発明の詳細な説明】
【技術分野】
【０００１】
本発明は、洗面器や浴槽等の排水流路に設けられ、毛髪やごみ等を捕集するためのヘアキャッチャーに関する。
【背景技術】
【０００２】
従来、槽体（例えば、洗面器や浴槽、流し台等）から流れ落ちる排水の流路にヘアキャッチャーを設け、排水に含まれるごみや毛髪等の異物を捕集する手法が知られている。ヘアキャッチャーとしては、例えば、筒状の軸筒部と、当該軸筒部と同軸に設けられた環状の周縁リング部と、軸筒部及び周縁リング部の間に設けられ、異物を捕集するための捕集部（ネット部）とを備えたものが提案されている（例えば、特許文献１等参照）。
【０００３】
また、捕集部としては、上記特許文献に記載されているように、皿状のものが広く知られている。しかしながら、このような捕集部を用いた場合、捕集された異物は、比較的広範囲に存在することとなり、また、捕集部に対しまとわりついてしまいやすい。従って、捕集部から異物を除去することが面倒で手間のかかる作業となってしまい、清掃性の低下を招いてしまうおそれがある。また、捕集された異物の存在によって排水能力が低下してしまうおそれもある。
【０００４】
そこで、清掃性等の向上を図るべく、軸（軸筒部）を中心として捕集部を螺旋状に設ける技術が提案されている（例えば、特許文献２等参照）。当該技術によれば、捕集部において排水の一部が螺旋状に流れるため、捕集部の下部において異物がまとめて捕集される。その結果、捕集した異物を容易に取り除くことができるとともに、捕集した異物の存在による排水能力の低下を生じにくくすることが可能となる。
【先行技術文献】
【特許文献】
【０００５】
【特許文献１】特開２０１０−３７９２０号公報
【特許文献２】特開２００５−８３１１８号公報
【発明の概要】
【発明が解決しようとする課題】
【０００６】
しかしながら、上記技術を用いた場合であっても、毛髪等の細長い異物が、捕集部における排水の流れ方向に沿うようにして延びた状態で、捕集部に対し密着してしまうといった事態が生じ得る。このような事態が生じた場合、捕集部に密着した毛髪等の異物を取り除くことは決して容易ではない。
【０００７】
本発明は、上記事情に鑑みてなされたものであり、その目的は、排水能力の低下防止をより確実に図りつつ、捕集部に対する異物の密着を効果的に抑制することができ、ひいては、より良好な清掃性を実現することができるヘアキャッチャーを提供することにある。
【課題を解決するための手段】
【０００８】
以下、上記目的を解決するのに適した各手段につき、項分けして説明する。なお、必要に応じて対応する手段に特有の作用効果を付記する。
【０００９】
手段１．排水の流路に配置される捕集部を備えてなるヘアキャッチャーであって、
前記捕集部の上面は、複数の段部と、各段部の間に配置された面部とが交互に形成されてなる階段部を備え、
前記階段部は、前記段部を挟んで隣り合う２つの前記面部のうち高い側から低い側に向けて排水が流れるように構成され
前記捕集部のうち前記階段部の存在する部位には、通水用の孔部が多数貫通形成され、
前記捕集部は、その中心軸を囲む環状をなし、
前記階段部は、前記中心軸の周囲に設けられ、螺旋階段状をなすことを特徴とするヘアキャッチャー。
【００１０】
尚、面部において排水が意図的に溜まるような構成にしさえしなければ、上方から流れてくる排水によって、「段部を挟んで隣り合う２つの面部のうち高い側から低い側に向けて排水が流れる」こととなる。尚、段部を挟んで隣り合う２つの面部のうち高い側から低い側に向けて排水がより確実に流れるようにすべく、例えば、面部を一段下の面部に向けて下方に傾斜する傾斜面状としてもよい。
【００１１】
上記手段１によれば、捕集部の上面は、複数の段部と、各段部の間に配置された面部とが交互に形成されてなる階段部を備えている。さらに、階段部は、段部を挟んで隣り合う２つの面部のうち高い側から低い側に向けて排水が流れるように構成されている。従って、排水の一部が階段部を伝わって階段部の下部側（下流側）へと流れることとなり、階段部の下部において異物をまとめて捕集することができる。これにより、異物の除去が容易となり、清掃性を高めることができる。
【００１２】
また、仮に毛髪等の細長い異物が、階段部に対し、排水の流れ方向に沿うようにして延びた状態で乗ったとしても、段部の存在する位置においては、毛髪等の異物が浮いたような状態となる。従って、捕集部（階段部）に対し毛髪等の異物が密着してしまうことを効果的に抑制でき、異物を容易に取り除くことができる。その結果、より良好な清掃性を実現することができる。
【００１３】
加えて、上記手段１によれば、階段部の下部において異物がまとめて捕集されることに伴い階段部の下部側（下流側）に位置する孔部が多少閉塞したとしても、階段部の上流側に位置する孔部を通して排水を流すことができる。従って、排水能力の低下をより確実に防止することができる。
【００１４】
また、上記手段１によれば、階段部の幅を比較的小さくすることができ、階段部において排水をより勢いよく流すことができる。従って、階段部の下部側（下流側）へと異物をより確実に押し流すことができ、階段部の下部にて異物をより効率的に捕集することができる。その結果、清掃性や排水能力をより高めることができる。
【００１５】
さらに、上記手段１によれば、排水の流れ方向に沿った階段部の長さをより大きく確保することができる。従って、面部のうち最も上方に位置するもの（最上面部）から、面部のうち最も下方に位置するもの（最下面部）までの間に、より多くの段部を設けることが可能となる。その結果、捕集部に対する異物の密着を一層確実に防止することができる。
【００１６】
また、階段部の長さが大きく確保されることにより、階段部における設計自由度を向上させることができる。例えば、階段部における勾配、階段部の深さ（高さ）、後述するポケット部の長さや深さ等をより容易に適切な値に設定することができる。ここで、例えば、階段部における勾配を適切な値に設定すれば、階段部における排水の勢いを十分に維持しつつ、階段部からの異物の除去容易性を高めることができ、清掃性を一段と高めることができる。また、例えば、ポケット部の長さや深さ等を適切な値に設定すれば、ポケット部に対し異物をより確実に堆積させつつ、ポケット部に堆積した異物をより容易に取り除くことが可能となり、清掃性をさらに高めることができる。
【００１７】
加えて、上記手段１によれば、階段部の長さが大きく確保されるため、階段部の下部にて捕集された異物が、階段部の上部側（上流側）へとはみ出しにくくなる。そのため、使用者は、階段部における異物の捕集部位をより容易に（一見して）把握することができる。その結果、ヘアキャッチャーの清掃をより一層容易に行うことが可能となる。
【００１８】
手段２．前記捕集部の上面は、前記面部のうち最も下方に位置する最下面部から、前記面部のうち最も上方に位置する最上面部にかけて連続する連続面を備えることを特徴とする手段１に記載のヘアキャッチャー。
【００１９】
上記手段２によれば、面部のうち異物の最も堆積しやすい最下面部（螺旋の終端部）から最上面部（螺旋の始端部）にかけて連続する連続面が設けられている。従って、最下面部から連続面を経て最上面部側へと捕集部を拭くことで、捕集部に堆積した異物を極めて容易に取り除くことができる。これにより、清掃性をより一層向上させることができる。
【００２０】
さらに、上記手段２によれば、階段部の最下部が、最下面部、段部及び連続面を備えた窪み形状となるため、当該窪み形状の部分において異物をより確実に捕集することができる。その結果、清掃性の更なる向上を図ることができる。
【００２１】
手段３．前記連続面は、前記孔部が形成されていない滑面状をなすことを特徴とする手段２に記載のヘアキャッチャー。
【００２２】
上記手段３によれば、連続面は、孔部の形成されていない滑面状であるため、最下面部から連続面を経て最上面部側へと捕集部を拭くときに、異物が連続面に引っ掛かってしまう（孔部に入ってしまう）といった事態が生じにくくなる。従って、一段と良好な清掃性を得ることができる。
【００２３】
手段４．前記最上面部は、前記孔部が形成されていない滑面状をなすことを特徴とする手段２又は３に記載のヘアキャッチャー。
【００２４】
上記手段４によれば、最上面部に流れ落ちた排水の多くを、段部を挟んで最上面部と隣り合う一段下の面部側へと流すことができる。従って、階段部において排水を一層勢いよく流すことができ、階段部の下部側（下流側）へと異物を一層確実に押し流すことができる。その結果、清掃性や排水能力をより一層高めることができる。
【００２５】
手段５．前記最上面部は、当該最上面部と前記段部を挟んで隣り合う前記面部側に向けて排水を案内する突起部を備えることを特徴とする手段２乃至４のいずれかに記載のヘアキャッチャー。
【００２６】
上記手段５によれば、突起部によって、最上面部に流れ落ちた排水を、段部を挟んで最上面部と隣り合う一段下の面部側へとより効率よく流すことができる。従って、階段部において排水をさらに勢いよく流すことができ、ひいては清掃性や排水能力を一段と高めることができる。
【００２７】
手段６．前記段部は、上方から見たとき、前記捕集部の中心軸側から外側に向けて延びつつ、前記階段部における排水の流れ方向下流側へと徐々に湾曲する形状をなすことを特徴とする手段１乃至５のいずれかに記載のヘアキャッチャー。
【００２８】
上記手段６によれば、段部のうち外周側に位置する部分を通って、面部から当該面部の一段下に位置する面部へと排水が流れるときに、排水の流れ方向のベクトルに、捕集部の中心軸側に向けたベクトル成分を生じさせることができる。従って、排水が階段部を流れ落ちるときにおいて、排水をスムーズに螺旋状に流れさせることができる。これにより、階段部の下部側（下流側）へと異物をより一層確実に押し流すことができ、ひいては清掃性や排水能力をさらに向上させることができる。
【００２９】
手段７．排水の流路に配置される捕集部を備えてなるヘアキャッチャーであって、
前記捕集部の上面は、複数の段部と、各段部の間に配置された面部とが交互に形成されてなる階段部を備え、
前記階段部は、前記段部を挟んで隣り合う２つの前記面部のうち高い側から低い側に向けて排水が流れるように構成され
前記捕集部のうち前記階段部の存在する部位には、通水用の孔部が多数貫通形成され、
前記階段部は、その最下部に、少なくとも一部が前記段部からなる壁部によって四方を囲まれたポケット部を備えることを特徴とするヘアキャッチャー。
【００３０】
上記手段７によれば、ポケット部において異物をより確実に捕集することができ、清掃性をより一層向上させることができる。
【００３１】
手段８．排水の流路に配置される捕集部を備えてなるヘアキャッチャーであって、
前記捕集部の上面は、複数の段部と、各段部の間に配置された面部とが交互に形成されてなる階段部を備え、
前記階段部は、前記段部を挟んで隣り合う２つの前記面部のうち高い側から低い側に向けて排水が流れるように構成され
前記捕集部のうち前記階段部の存在する部位には、通水用の孔部が多数貫通形成され、
前記段部は、自身に隣接する２つの前記面部のうち高い側から低い側に向けて徐々に低くなる傾斜面状又は湾曲面状をなすことを特徴とするヘアキャッチャー。
【００３２】
上記手段８によれば、階段部を清掃するとき等において、段部と当該段部に隣接する低い側の面部との境界部分に付着した汚れを拭き取りやすくなる。従って、清掃性を一段と高めることができる。
【図面の簡単な説明】
【００３３】
【図１】排水栓装置の構成を示す断面図である。
【図２】ヘアキャッチャーの斜視図である。
【図３】ヘアキャッチャーの平面図である。
【図４】図３のＪ−Ｊ線断面図である。
【図５】ヘアキャッチャーの背面図である。
【図６】ヘアキャッチャーの側面図である。
【図７】別の実施形態における階段部の構成を示すヘアキャッチャーの平面図である。
【図８】図７のＫ−Ｋ線断面図である。
【図９】別の実施形態における階段部の構成を示すヘアキャッチャーの平面模式図である。
【発明を実施するための形態】
【００３４】
以下に、一実施形態について図面を参照しつつ説明する。図１に示すように、排水栓装置１は、槽体としての洗面器１００に取付けられており、排水管２と、栓蓋側機構部３と、排水口装置４と、ヘアキャッチャー５とを備えている。尚、洗面器１００は、その底面を構成する底壁部１０１を備えるとともに、底壁部１０１には排水口１０２が形成されている。また、洗面器１００には、水の溢れ出しを防止するためのオーバーフロー口（図示せず）が設けられている。
【００３５】
排水管２は、主管２１と、枝分かれ管２２と、取付管２３とを備えている。
【００３６】
主管２１は、鉛直方向に沿って延びる筒状をなし、例えば、ねじ止め等により、自身の内部空間が排水口１０２と連通するようにして底壁部１０１の背面に取付けられている。洗面器１００内の水は、主管２１の内部を通って排出されるようになっている。尚、主管２１の上端部と底壁部１０１との間には、弾性変形可能な材料からなる環状のシール部材６が配置されており、当該シール部材６によって排水管２及び底壁部１０１間が水密にシールされている。
【００３７】
枝分かれ管２２は、主管２１の外周から主管２１の延びる方向と交差する方向に沿って延びている。さらに、枝分かれ管２２は、その内部空間が主管２１の内部空間に連通するとともに、前記オーバーフロー口に対し所定の連結管７を介して接続されている。これにより、前記オーバーフロー口を通過した排水は、連結管７を通って主管２１へと流れ込むようになっている。
【００３８】
取付管２３は、主管２１の外周から主管２１の延びる方向と直交する方向に沿って延びており、その内部空間が主管２１の内部空間に連通している。取付管２３は、栓蓋側機構部３の被取付部として機能する。
【００３９】
栓蓋側機構部３は、その一部が取付管２３に挿通された状態で、取付管２３に取付けられている。栓蓋側機構部３は、取付管２３の中心軸と平行な回動軸にて回動する円板状の回動部（図示せず）と、当該回動部の端面の外周側に設けられ、排水管２（主管２１）内に向けて突出する支持突起３１とを備えている。支持突起３１は、排水管２（主管２１）内に配置されており、排水口装置４を支持するものである。尚、本実施形態において、支持突起３１は、排水管２（主管２１）の中心軸に至らない程度の短いものとされている。
【００４０】
また、栓蓋側機構部３には、筒状のチューブ部材８と、当該チューブ部材８内に配置された伝達部材９（例えば、ワイヤー等）とが接続されている。伝達部材９は、チューブ部材８内にて往復移動可能となっており、図示しない所定の操作部材（例えば、往復移動可能な操作ボタンや回動可能な操作ハンドルなど）を変位させることで、往復移動するようになっている。そして、伝達部材９の往復移動に伴い、前記回動部が回動し、ひいては支持突起３１が上下動するようになっている。
【００４１】
排水口装置４は、通水部材４１と、支持軸４２と、栓蓋４３とを備えている。
【００４２】
通水部材４１は、排水管２（主管２１）内において上下動可能な状態で配置されており、環状の外周壁部４１Ａと、当該外周壁部４１Ａの内周から内側に向けて延びる下部捕集部４１Ｂとを備えている。
【００４３】
外周壁部４１Ａは、排水管２（主管２１）の内周面に沿うようにして排水管２（主管２１）内に配置されている。また、外周壁部４１Ａの下端面が前記支持突起３１に載置状態とされることで、通水部材４１ひいては排水口装置４は、支持突起３１により排水管２（主管２１）内で支持されるようになっている。
【００４４】
下部捕集部４１Ｂは、その内周部分が支持軸４２に固定されており、外周壁部４１Ａの径方向に沿って延びる複数のリブを有している。下部捕集部４１Ｂにおいて、排水管２を流れる排水は前記リブ間に形成された隙間を通って流れ落ち、その一方で、排水に含まれるゴミ等は捕集されることとなる。
【００４５】
支持軸４２は、棒状をなし、その上端部が栓蓋４３の背面中央部に取付けられるとともに、その下端側部分が通水部材４１（下部捕集部４１Ｂ）に固定されている。そのため、支持突起３１が上下動することで通水部材４１が上下動した際には、通水部材４１とともに支持軸４２及び栓蓋４３が上下動するようになっている。
【００４６】
栓蓋４３は、樹脂等からなる円板状の蓋部４３Ａと、当該蓋部４３Ａの背面外周側に取付けられた、弾性変形可能な材料（例えば、ゴムや樹脂等）からなる環状のパッキン部４３Ｂとを備えている。本実施形態では、支持突起３１の下動に伴い栓蓋４３が下動したときに、パッキン部４３Ｂの外周部分全域が底壁部１０１に接触することで、排水口１０２が閉鎖されるようになっている。一方で、支持突起３１の上動に伴い栓蓋４３が上動したときに、パッキン部４３Ｂが底壁部１０１から離間することで、排水口１０２が開放されるようになっている。
【００４７】
また、本実施形態では、排水口１０２の開放時において、支持突起３１は外周壁部４１Ａの下端面に接触しているが、排水口１０２の閉鎖時において、支持突起３１は外周壁部４１Ａの下端面から離間するようになっている。これにより、排水口１０２の閉鎖時において、栓蓋４３（パッキン部４３Ｂ）を確実に底壁部１０１へと接触させることができ、良好な水密性を得ることができる。
【００４８】
尚、本実施形態においては、洗面器１００の表側から栓蓋４３や支持軸４２を引き上げることで、排水口装置４及びヘアキャッチャー５を排水管２から一度に取外すことができるようになっている。そして、排水口装置４及びヘアキャッチャー５を排水管２から取外したとき、排水管２（主管２１）内においては、支持突起３１のみが僅かに突出した状態となる。そのため、メンテナンス性や清掃性の向上を図ることができる。
【００４９】
次いで、本発明の特徴部分であるヘアキャッチャー５の構造について説明する。
【００５０】
本実施形態において、ヘアキャッチャー５は、排水管２（主管２１）の内部（つまり、排水の流路）に配置されており、図２〜図６に示すように、中筒部５１及び皿部５２を備えている。
【００５１】
中筒部５１は、ヘアキャッチャー５の中心軸ＣＬ１方向に沿って延びる円筒状をなし、その内周に対し前記支持軸４２が挿通されている。また、中筒部５１の内周には、中心軸ＣＬ１と平行に延びる突条が中筒部５１の周方向に沿って等間隔に複数設けられている。これにより、中筒部５１及び支持軸４２の密着を防止することができるため、支持軸４２の上動時にヘアキャッチャー５が上動することなく、ヘアキャッチャー５を一定の位置に保持することができるようになっている。尚、本実施形態において、ヘアキャッチャー５は、排水管２（主管２１）の内周面における窄み部分へと載置されており（図１参照）、基本的には移動しないようになっている。
【００５２】
皿部５２は、中筒部５１の外周面から外側に向けて広がる鍔状をなしており、外壁部５３及び捕集部５４を備えている。
【００５３】
外壁部５３は、捕集部５４へと流れ込んだ異物がヘアキャッチャー５の外側へと流れ出てしまうことを防止するものである。外壁部５３は、前記中心軸ＣＬ１を中心とする円環状をなしており、ヘアキャッチャー５の最外周に位置している。また、外壁部５３は、捕集部５４の最外周部に立設された状態となっており、その内周面は、前記中心軸ＣＬ１側に向けて下方に傾斜する、比較的傾斜角度の大きな傾斜面となっている。外壁部５３の内周面がこのように構成されていることで、捕集部５４へと流れ込んだ異物の流出をより確実に防止しつつ、製造容易性（例えば、型抜きの容易性）を確保することができるようになっている。
【００５４】
捕集部５４は、排水に含まれるゴミ等の異物を捕集するためのものである。本実施形態において、捕集部５４の中心軸は、前記中心軸ＣＬ１と一致しており、捕集部５４は、中心軸ＣＬ１を囲む環状をなしている。
【００５５】
また、捕集部５４の上面は、前記中心軸ＣＬ１の周囲に設けられ、螺旋階段状をなす階段部５５を備えている。本実施形態では、捕集部５４の上面のほぼ全域が階段部５５となっている。階段部５５は、面部５６及び段部５７が交互に形成されてなるものである。本実施形態において、面部５６及び段部５７は、複数（本実施形態では、３つ以上）設けられている。
【００５６】
各面部５６は、前記中心軸ＣＬ１の周方向に沿って徐々に低くなる複数の面によって構成されている。面部５６には、最も上方に位置する最上面部５６Ａと、最も下方に位置する最下面部５６Ｂと、最上面部５６Ａ及び最下面部５６Ｂ間に位置し、前記中心軸ＣＬ１の周方向に沿って並ぶ複数の中間面部５６Ｃとが存在している。本実施形態において、各中間面部５６Ｃ及び最下面部５６Ｂのそれぞれは、外壁部５３から中筒部５１に向けた方向に沿って徐々に低くなる湾曲面状をなす一方で、前記中心軸ＣＬ１の周方向に沿った方向においてはほぼ同じ高さを有するものとされている。
【００５７】
また、最下面部５６Ｂは、中筒部５１、段部５７、外壁部５３及び後述する連続面６０で四方が囲まれており、最下面部５６Ｂ、中筒部５１、段部５７、外壁部５３及び連続面６０により、窪み状の空間であるポケット部５８が形成されている。すなわち、階段部５５の最下部には、ポケット部５８が設けられている。尚、本実施形態においては、最下面部５６Ｂを囲む、中筒部５１、段部５７、外壁部５３及び連続面６０が壁部に相当する。
【００５８】
段部５７は、最上面部５６Ａ及び中間面部５６Ｃ（中間面部５６Ｃのうち最も上方に位置するもの）の間、各中間面部５６Ｃの間、並びに、中間面部５６Ｃ（中間面部５６Ｃのうち最も下方に位置するもの）及び最下面部５６Ｂの間に設けられており、面部５６同士を連接する面である。本実施形態において、各段部５７は、高い側の面部５６から低い側の面部５６に向けて、徐々に低くなる傾斜面状とされている。また、本実施形態では、各面部５６及び各段部５７が上述のように構成されることで、段部５７を挟んで隣り合う２つの面部５６のうち高い側から低い側に向けて排水が流れるようになっている。
【００５９】
尚、例えば、面部５６に対し深さ及び面積が過度に大きな凹みをあえて設けるなど、面部５６において排水が意図的に溜まるような構成にしなければ、上方から流れてくる排水によって、段部５７を挟んで隣り合う２つの面部５６のうち高い側から低い側に向けて排水が流れることとなる。
【００６０】
また、本実施形態において、段部５７は、上方から見たとき、中心軸ＣＬ１側から外側に向けて延びつつ、階段部５５における排水の流れ方向下流側に向けて（中心軸ＣＬ１の周方向に沿うとともに、最上面部５６Ａから最下面部５６Ｂに向けた方向に）徐々に湾曲する形状をなしている。
【００６１】
さらに、捕集部５４のうち階段部５５の存在する部位であって、最上面部５６Ａを除いた部位の全域には、通水用の孔部５９が多数貫通形成されている。そして、階段部５５における排水の流れ方向の下流側に位置する各孔部５９の大半（例えば、半数以上）は、その通水面積が、前記流れ方向の上流側に位置する各孔部５９の通水面積よりも大きなものとされている。本実施形態では、上方から見たとき、後述する連続面６０との間で中心軸ＣＬ１を挟む位置を基準位置として、当該基準位置よりも上流側に位置する孔部５９の通水面積が比較的小さなものとされ、当該基準位置よりも下流側に位置する孔部５９の通水面積が比較的大きなものとされている。
【００６２】
加えて、捕集部５４の上面は、最下面部５６Ｂから最上面部５６Ａにかけて連続する連続面６０を備えている。連続面６０には孔部５９が形成されておらず、連続面６０は滑面状（表面に凹凸のない形状）とされている。また、本実施形態において、最下面部５６Ｂから連続面６０にかけての面の形状は滑らかに遷移するように構成されており、最下面部５６Ｂ及び連続面６０の間には、角が形成されていない。さらに、連続面６０から最上面部５６Ａにかけての面の形状も滑らかに遷移するように構成されており、連続面６０及び最上面部５６Ａの間にも角が形成されていない。すなわち、本実施形態において、最下面部５６Ｂから連続面６０を経て最上面部５６Ａへと至る面は、表面に凹凸のない滑面状とされている。
【００６３】
また、連続面６０と同様に、最上面部５６Ａには孔部５９が形成されておらず、最上面部５６Ａは滑面状（表面に凹凸のない滑らかな形状）とされている。
【００６４】
加えて、最上面部５６Ａにおける連続面６０側の部分には、上方に向けて若干突出する突起部６１が設けられている。突起部６１は、最上面部５６Ａと連接する段部５７側に向けて下方に傾斜する面を備えている。突起部６１に設けられた前記傾斜面より、最上面部５６Ａに流れ落ちた排水は、最上面部５６Ａとの間で段部５７を挟んで隣り合う一段下の面部５６（中間面部５６Ｃ）側に向けて案内されるようになっている。
【００６５】
以上詳述したように、本実施形態によれば、排水の一部が階段部５５を伝わって階段部５５の下部側（下流側）へと流れることとなり、階段部５５の下部（ポケット部５８）において異物をまとめて捕集できる。これにより、異物の除去が容易となり、清掃性を高めることができる。
【００６６】
また、仮に毛髪等の細長い異物が、階段部５５に対し、排水の流れ方向に沿うようにして延びた状態で乗ったとしても、段部５７の存在する位置においては、毛髪等の異物が浮いたような状態となる。従って、捕集部５４（階段部５５）に対し毛髪等の異物が密着してしまうことを効果的に抑制でき、異物を容易に取り除くことができる。その結果、より良好な清掃性を実現することができる。
【００６７】
加えて、階段部５５の下部において異物がまとめて捕集されることに伴い階段部５５の下部側（下流側）に位置する孔部５９が多少閉塞したとしても、階段部５５の上流側に位置する孔部５９を通して排水を流すことができる。従って、排水能力の低下をより確実に防止することができる。
【００６８】
また、本実施形態において、階段部５５は螺旋階段状をなすため、階段部５５の幅を比較的小さくすることができ、階段部５５において排水をより勢いよく流すことができる。従って、階段部５５の下部側（下流側）へと異物をより確実に押し流すことができ、階段部５５の下部にて異物をより効率的に捕集することができる。その結果、清掃性や排水能力をより高めることができる。
【００６９】
さらに、階段部５５を螺旋階段状とすることで、排水の流れ方向に沿った階段部５５の長さをより大きく確保することができる。従って、最上面部５６Ａから最下面部５６Ｂまでの間に、より多くの段部５７を設けることが可能となる。その結果、捕集部５４に対する異物の密着を一層確実に防止することができる。
【００７０】
加えて、階段部５５の長さを大きく確保することができるため、階段部５５における設計自由度を向上させることができる。また、階段部５５の下部（ポケット部５８）にて捕集された異物が、階段部５５の上部側（上流側）へとはみ出しにくくなる。そのため、使用者は、階段部５５における異物の捕集部位をより容易に（一見して）把握することができる。その結果、ヘアキャッチャー５の清掃をより一層容易に行うことが可能となる。
【００７１】
また、本実施形態においては、最下面部５６Ｂから最上面部５６Ａにかけて連続する連続面６０が設けられている。従って、最下面部５６Ｂから連続面６０を経て最上面部５６Ａ側へと捕集部５４を拭くことで、捕集部５４に堆積した異物を極めて容易に取り除くことができる。これにより、清掃性をより一層向上させることができる。
【００７２】
さらに、階段部５５の最下部は、最下面部５６Ｂ、段部５７及び連続面６０等からなる窪み形状のポケット部５８を備えているため、ポケット部５８において異物をより確実に捕集することができる。その結果、清掃性の更なる向上を図ることができる。
【００７３】
加えて、連続面６０は、孔部５９の形成されていない滑面状であるため、最下面部５６Ｂから連続面６０を経て最上面部５６Ａ側へと捕集部５４を拭くときに、異物が連続面６０に引っ掛かってしまう（孔部に入ってしまう）といった事態が生じにくくなる。従って、一段と良好な清掃性を得ることができる。
【００７４】
また、最上面部５６Ａに関しても、孔部５９の形成されていない滑面状であるため、最上面部５６Ａに流れ落ちた排水の多くを、段部５７を挟んで最上面部５６Ａと隣り合う一段下の面部５６（中間面部５６Ｃ）側へと流すことができる。従って、階段部５５において排水を一層勢いよく流すことができ、階段部５５の下部側へと異物を一層確実に押し流すことができる。その結果、清掃性や排水能力をより一層高めることができる。
【００７５】
さらに、本実施形態では、突起部６１によって、最上面部５６Ａに流れ落ちた排水を、段部５７を挟んで最上面部５６Ａと隣り合う一段下の面部５６（中間面部５６Ｃ）側へとより効率よく流すことができる。従って、階段部５５において排水をさらに勢いよく流すことができ、ひいては清掃性や排水能力を一段と高めることができる。
【００７６】
また、本実施形態によれば、段部５７のうち外周側に位置する部分を通って、面部５６から当該面部５６の一段下に位置する面部５６へと排水が流れるときに、排水の流れ方向のベクトルに、中心軸ＣＬ１側に向けたベクトル成分を生じさせることができる。従って、排水が階段部５５を流れ落ちるときにおいて、排水をスムーズに螺旋状に流れさせることができる。これにより、階段部５５の下部側（下流側）へと異物をより一層確実に押し流すことができ、ひいては清掃性や排水能力をさらに向上させることができる。
【００７７】
さらに、本実施形態では、基本的には、流れ方向の下流側に位置する孔部５９の通水面積が、流れ方向の上流側に位置する孔部５９の通水面積よりも大きくされている。従って、階段部５５の下部において異物がある程度捕集された状態であっても、下流側の孔部５９を通って排水が流れやすくなり、排水能力を一段と高めることができる。
【００７８】
一方で、流れ方向の上流側に位置する孔部５９の通水面積は比較的小さくされることから、排水が上流側の孔部５９を通りにくくなり、ひいては階段部５５の上流側から下流側へと排水をより勢いよく流すことができる。その結果、階段部５５の下部側（下流側）へと異物を一層確実に押し流すことができ、ひいては一層優れた清掃性や排水能力を得ることができる。
【００７９】
また、段部５７は、自身に隣接する２つの面部５６のうち高い側から低い側に向けて徐々に低くなる傾斜面状をなしている。従って、階段部５５を清掃するとき等において、段部５７と当該段部５７に隣接する低い側の面部５６との境界部分に付着した汚れを拭き取りやすくなる。従って、清掃性を一段と高めることができる。
【００８０】
尚、上記実施形態の記載内容に限定されず、例えば次のように実施してもよい。勿論、以下において例示しない他の応用例、変更例も当然可能である。
【００８１】
（ａ）上記実施形態において、ヘアキャッチャー５は中筒部５１を備えているが、中筒部５１を備えないこととしてもよい。すなわち、ヘアキャッチャーは中心に貫通孔を備えない構造であってもよい。
【００８２】
（ｂ）上記実施形態において、階段部５５は中心軸ＣＬ１の周囲に設けられた螺旋階段状をなしているが、階段部は必ずしも螺旋階段状でなくてもよい。従って、例えば、図７及び図８に示すように、面部６６及び段部６７が中心軸ＣＬ１と直交する方向に沿って交互に並んで配置されるように階段部６５を構成してもよい。
【００８３】
また、例えば、図９（図９では孔部５９を不図示）に示すように、上方から見たとき、各段部７７が面部７６のうち最も下方に位置する面（最下面部７６Ｂ）側を中心とする湾曲状をなすよう階段部７５に構成してもよい。この場合には、階段部７５の下部（最下面部７６Ｂ）側に向けて排水をより確実に流すことができ、ひいては階段部７５の下部（最下面部７６Ｂ）にて異物をより確実に捕集することができる。
【００８４】
（ｃ）上記実施形態における段部５７の形状は一例であって、その形状は上記実施形態のものに限定されるものではない。従って、例えば、段部は、高い側の面部５６と低い側の面部５６との間において鉛直方向に沿って延びる形状であってもよい。
【００８５】
また、例えば、段部は、高い側の面部５６から低い側の面部５６に向けて徐々に低くなるとともに、斜め下方に向けて窪む湾曲面状をなすものであってもよい。尚、この場合には、段部５７の最下部から面部５６にかけての面を凹凸のない連続面とし、段部５７の最下部及び面部５６の境界部分に角が形成されないように構成してもよい。このように構成することで、段部５７の下部と面部５６との間の部位に対する汚れの付着を効果的に抑制することができ、衛生性を向上させることができる。また、段部５７の下部と面部５６との間の部位に対し仮に汚れが付着したとしても、例えば、面部５６から段部５７にかけての部位を拭くこと等により、その汚れを容易に取り除くことができる。従って、清掃性の向上を図ることができる。
【００８６】
さらに、例えば、段部は、上方から見たとき、中心軸ＣＬ１を中心に放射状に延びる形状であってもよい。
【００８７】
（ｄ）上記実施形態において、孔部５９は、基本的には、流れ方向の下流側に位置するものの通水面積が、上流側に位置するものの通水面積よりも大きなものとされているが、必ずしも孔部５９の構成はこれに限定されるものではない。従って、例えば、各孔部５９の通水面積が同一となるように構成してもよい。また、前記流れ方向の上流側から下流側に向けて、孔部５９の通水面積が徐々に大きくなるように構成してもよい。この場合においても、上記実施形態と同様に、下流側の孔部５９を通って排水が流れやすくなり、排水能力を一段と高めることができる。また、階段部５５の上流側から下流側へと排水をより勢いよく流すことができ、ひいては一層優れた清掃性や排水能力を得ることができる。
【００８８】
（ｅ）上記実施形態では、最上面部５６Ａ及び連続面６０に孔部５９が形成されていないが、最上面部５６Ａ及び連続面６０の少なくとも一方において孔部５９を形成することとしてもよい。
【００８９】
（ｆ）上記実施形態において、支持軸４２は、支持突起３１の上下動に伴い上下動するように構成されているが、支持軸４２を移動させる手法は特に限定されるものではない。例えば、伝達部材９の動作による駆動力が支持軸４２に対し直接伝達されたり、所定の弾性部材（例えば、ばね部材など）の弾性力が支持軸４２に対し伝達されたりすることで、支持軸４２が移動するように構成してもよい。
【００９０】
（ｇ）上記実施形態では、槽体として洗面器１００を例示しているが、本発明の技術思想を適用可能な槽体は洗面器に限定されるものではない。従って、例えば、浴槽やキッチンの流し台などに対して本発明の技術思想を適用することとしてもよい。
【００９１】
（ｈ）上記実施形態では、栓蓋４３（パッキン部４３Ｂ）が底壁部１０１（洗面器１００）に接触することで排水口１０２を閉鎖するように構成されているが、栓蓋４３（パッキン部４３Ｂ）が洗面器１００に設置された部材（例えば、排水口１０２に挿通された筒状部材）に接触することで排水口１０２を閉鎖するように構成してもよい。
【符号の説明】
【００９２】
５…ヘアキャッチャー、５４…捕集部、５５，６５…階段部、５６，６６，７６…面部、５６Ａ…最上面部、５６Ｂ，７６Ｂ…最下面部、５７，６７，７７…段部、５８…ポケット部、５９…孔部、６０…連続面、６１…突起部、ＣＬ１…中心軸。
【図１】
0006586299.tif 000002
【図２】
0006586299.tif 000003
【図３】
0006586299.tif 000004
【図４】
0006586299.tif 000005
【図５】
0006586299.tif 000006
【図６】
0006586299.tif 000007
【図７】
0006586299.tif 000008
【図８】
0006586299.tif 000009
【図９】
0006586299.tif 000010